(57)【要約】      （修正有）【課題】装身具の留め具において、装身具を体に装着するときに、従来の非常に小さい留め具のような操作性の悪さ、わずらわしさを取り除き、誰もが容易に装着、取り外しのできる装身具用留め具を提供する。【解決手段】一対の連結部材１２，１３を有する装身具用留め具１１であって、前記各連結部材１２，１３はそれぞれ所定の間隔で配置された一対の磁石１４ａ，１４ｂ、１５ａ，１５ｂを備えており、かつ該一対の磁石は正対する位置において異なる磁極で配置するとともに、前記一対の連結部材１２，１３は互いにスライドして係合する抜け落ち防止構造２１を備えており、前記一対の連結部材１２，１３の抜け落ち防止構造２１を係合した上、前記一対の磁石の正対位置までスライドさせ、前記一対の連結部材１２，１３に所定の間隔で配置された一対の磁石どうしが磁力で吸着して固定するようにしたことを特徴とする装身具用留め具１１。【選択図】図２
2018042994.tif 000002
【特許請求の範囲】
【請求項１】
一対の連結部材を有する装身具用留め具であって、前記各連結部材はそれぞれ所定の間隔で配置された一対の磁石を備えており、かつ該一対の磁石は正対する位置において異なる磁極で配置するとともに、前記一対の連結部材は互いにスライドして係合する抜け落ち防止構造を備えており、
前記一対の連結部材の抜け落ち防止構造を係合した上、前記一対の磁石の正対位置までスライドさせ、前記一対の連結部材に所定の間隔で配置された一対の磁石どうしが磁力で吸着して固定するようにしたことを特徴とする装身具用留め具。
【請求項２】
前記一対の連結部材は、それぞれ装飾が施されていることを特徴とする請求項１に記載の装身具用留め具。
【請求項３】
前記一対の連結部材の抜け落ち防止構造が、前記一方の側の連結部材の一対の磁石の間に配置した膨頭部を備えた係合体と、前記他方の側の連結部材の一対の磁石の間に配置した、前記膨頭部をはめ込み可能な挿通孔を有する係合溝とを備えていることを特徴とする請求項１または２に記載の装身具用留め具。
【請求項４】
前記一対の連結部材の抜け落ち防止構造が、前記一対の連結部材の一方に設けたスライドレールと、前記一対の連結部材の他方に設けた前記スライドレールをスライド可能に保持するガイドレールとを備えていることを特徴とする請求項１ないし３のいずれかに記載の装身具用留め具。
【発明の詳細な説明】
【技術分野】
【０００１】
この発明は、首へ着けるネックレスやペンダント、腕に着けるブレスレット、足に着けるアンクレット等の装身具に関し、その装身具を該当位置に極めて容易に装着することを可能とした装身具用留め具に関するものである。
【背景技術】
【０００２】
一般的なネックレスやペンダント、ブレスレット、アンクレット等の装身具においては、パイプを円形に成形し、中にバネを仕込んだ引き輪と呼ばれる留め具が使用されている。この引き輪と呼ばれる留め具は、比較的コストを抑えることができるので、多用されているという実情がある。
しかし、この留め具は非常に小さく、操作も指先の一部で行うため、その操作性、使用感は非常に悪く、高齢者では使用できないという問題があった。
【０００３】
そこで特開２０１３−１０２９４８号（特許文献１参照）に見られるような、第１基体の第１接合面と第２基体の第２接合面とが合わされた状態において、第１係合部と第２係合部とが係合し、かつ第１磁石の磁極面と第２磁石の磁極面のとの間で互いに極性の異なる領域同士が合わさることにより第１本体と第２本体とが互いに留められるように構成されている装身具用留め具が知られている。
しかしながら、特許文献１の発明においては、第１基体と第２基体との連結がほぼ磁石の吸着力に依存しているため、装身具の固定強度に乏しく、問題解決に至っていない。
【０００４】
また特開平１１−２３５２２０号公報（特許文献２参照）に見られるような、ネックレスあるいはブレスレット等、環状にして用いる装身具の開放端を磁性体にて連結する連結金具において、軸心に平行な第１および第２の接合面を形成し、前記第１および第２の接合面に相互間を吸着させる磁性体を凹設するとともに第１および第２の接合面にその相互間を掛止する鉤形の掛止片を設け、かつ前記第１および第２の接合面の軸方向の端部に前記第１および第２の掛止片の凹部を設けることにより構成した連結金具も提案されている。
【０００５】
しかしながら、特許文献２の発明においては、磁石が第１および第２の接合面に１個ずつ、計２個の使用を前提としたものである。そして、磁石が吸着状態となる前の手動で位置合わせする箇所が磁石の両側の２か所であるため、磁石が対向する一対のみであることと相まって、第１および第２の接合面を位置合わせすることが難しいという問題があった。
いずれにしても、前記各先行技術は接合する連結部材に独自のデザインや装飾を付加しにくい構造であった。
【先行技術文献】
【特許文献】
【０００６】
【特許文献１】特開２０１３−１０２９４８号公報
【特許文献２】特開平１１−２３５２２０号公報
【発明の概要】
【発明が解決しようとする課題】
【０００７】
この発明は前述した問題点を解決するものであり、首や腕、足等に装身具を装着しようとした場合、磁石を使用しながらも、磁石のみの吸着強度に依存していないために装身具の固定強度が高く、かつ簡単に連結部材の向きを合わせることができて、装着作業を容易なものとした装身具用留め具を提供するものである。
【課題を解決するための手段】
【０００８】
以上の課題を解決するためこの発明の装身具用留め具は、一対の連結部材を有する装身具用留め具であって、前記各連結部材はそれぞれ所定の間隔で配置された一対の磁石を備えており、かつ該一対の磁石は正対する位置において異なる磁極で配置するとともに、前記一対の連結部材は互いにスライドして係合する抜け落ち防止構造を備えており、
前記一対の連結部材の抜け落ち防止構造を係合した上、前記一対の磁石の正対位置までスライドさせ、前記一対の連結部材に所定の間隔で配置された一対の磁石同士が磁力で吸着して固定するようにしたことを特徴とするものである。
【０００９】
この発明の装身具用留め具において、前記一対の連結部材は、それぞれ装飾が施されていることをも特徴とするものである。
【００１０】
この発明の装身具用留め具において、前記一対の連結部材の抜け落ち防止構造が、前記一方の側の連結部材の一対の磁石の間に配置した膨頭部を備えた係合体と、前記他方の側の連結部材の一対の磁石の間に配置した、前記膨頭部をはめ込み可能な挿通孔を有する係合溝とを備えていることをも特徴とするものである。
【００１１】
この発明の装身具用留め具において、前記一対の連結部材の抜け落ち防止構造が、前記一対の連結部材の一方に設けたスライドレールと、前記一対の連結部材の他方に設けた前記スライドレールをスライド可能に保持するガイドレールとを備えていることをも特徴とするものである。
【発明の効果】
【００１２】
１）この発明によれば、首や腕、足等に装着する装身具の留め具において、磁石の吸着力と、スライドして係合する抜け落ち防止構造による固定強度があるので、容易に装着できるにもかかわらず、安心感のある装身具用留め具を提供することができるようになった。
２）またこの発明においては使用する磁石が４個であって、一対の連結部材のそれぞれに固定される一対の磁石のそれぞれのＮ極およびＳ極を異ならせて設置することにより、一対の連結部材の取り付け方向の間違いがなくなる。
３）さらにこの発明においては、磁石が吸着状態となる前に物理的な抜け落ち防止構造が１か所であり、装着および固定が非常に容易である。また、指先による装着部分の誘導および設置が容易であり、位置合わせ時の位置ずれに対する許容量が大きいというメリットがある。
４）この発明においては、一対の連結部材を固定した場合に、それぞれの部品同士は対称になり得る構造を構成できるので、視覚的にバランスを取ることができ、したがってデザイン、装飾が一対の連結部材に付加しやすい。
なおかつ、連結部材の機能部分に占める容積量が小さいので、装飾を自由に施すことができる。
【図面の簡単な説明】
【００１３】
【図１】この発明の完成図である。
【図２】この発明の横視点開放図である。
【図３】この発明の上部透視図である。
【図４】この発明の操作段階１の上部透視図である。
【図５】この発明の操作段階２の上部透視図である。
【図６】この発明の操作段階２の上部透視図である。
【発明を実施するための形態】
【００１４】
以下、この発明における装身具用留め具の１実施例を図面に基いて詳細に説明する。
図１ないし図３において、この発明の装身具用留め具１１は、一対の連結部材１２，１３を備えている。なお、前記一対の連結部材１２，１３はそれぞれ装飾が施されており、それ自体が装身具の装飾パーツとして機能するようになっている。今回の実施例では、丸環１６を介して連結した球体の宝石の連が３連の装身具用の留め具を例示している。
そして、前記各連結部材１２，１３はそれぞれ所定の間隔で配置された一対の磁石１４ａ，１４ｂ，１５ａ，１５ｂを備えており、かつ各一対の磁石１４ａ，１４ｂおよび磁石１５ａ，１５ｂは正対する位置において異なる磁極（Ｎ極、Ｓ極）で配置されている。
以上のようにこの発明においては使用する磁石が４個であって、一対の連結部材１２，１３のそれぞれに固定される一対の磁石１４ａ，１４ｂ，１５ａ，１５ｂのそれぞれのＮ極およびＳ極を異ならせて設置することにより、一対の連結部材１２，１３の取り付け方向の間違いがなくなるのである。
【００１５】
またこの発明の装身具用留め具１１において、前記一対の連結部材１２，１３は互いにスライドして係合する抜け落ち防止構造２１を備えている。
この、前記一対の連結部材１２，１３の第１の抜け落ち防止構造２１としては、前記一方の側の連結部材１２の一対の磁石１４ａ，１４ｂの間に配置したリベット状の膨頭部２３を備えた係合体２２と、前記他方の側の連結部材１３の一対の磁石１５ａ，１５ｂの間に配置した、前記膨頭部２３をはめ込み可能な挿通孔２５を有する係合溝２４とを備えている。もちろん、前記挿通孔２５は前記膨頭部２３よりもサイズが大きく、他方、前記係合溝２４は前記膨頭部２３よりも幅が狭い。
【００１６】
ちなみに、前記一対の連結部材１２，１３の一方の連結部材１２には、その長さ方向の両側に沿って所定の高さのスライドレール３２が、また前記一対の連結部材１２，１３の他方の連結部材１３には、前記スライドレール３２をスライド可能に保持する所定の高さのガイドレール３３がその長さ方向の両側に沿って設けてあり、スライドレール３２はガイドレール３３内をスライドするよう構成されている。このスライドレール３２とガイドレール３３の組み合わせも、前記一対の連結部材１２，１３に負荷がかかった場合に両者が外れようとするのを防止する意味において第２の抜け落ち防止構造３１ということができる。
【００１７】
前記一対の連結部材１２，１３の取り付けに際しては、図４に示すように、前記一方の側の連結部材１２の一対の磁石１４ａ，１４ｂの間に配置した係合体２２の膨頭部２３と、前記他方の側の連結部材１３の一対の磁石１５ａ，１５ｂの間に配置した、前記膨頭部２３をはめ込み可能な挿通孔２５と向き合わせる。
そして、図５に示すように、前記一対の連結部材１２，１３のスライドレール３２をガイドレール３３内にはめ込むとともに、前記膨頭部２３を前記挿通孔２５にはめ込む。
【００１８】
このようにして前記抜け落ち防止構造２１を係合すると、図６に示すように、前記一対の連結部材１２，１３に所定の間隔で配置された磁石１４ａ（Ｎ極），１５ａ（Ｓ極）と磁石１４ｂ（Ｓ極），１５ｂ（Ｎ極）との間に磁力が強力に作用し、前記係合体２２が係合溝２４内をスライドして、前記一対の磁石１４ａ，１４ｂと磁石１５ａ，１５ｂの正対位置まで移動させる。そうすると、前記磁石１４ａ（Ｎ極），１５ａ（Ｓ極）と磁石１４ｂ（Ｓ極），１５ｂ（Ｎ極）とがそれぞれ磁力で吸着し、強固に固定するようになるのである。
その際、前記リベット状の膨頭部２３は幅の狭い前記係合溝２４の位置まで移動するので、本実施例の装身具用留め具１１を並行に引っ張っても、リベット状の膨頭部２３は前記係合溝２４よりもサイズが大きいので、装身具用留め具１１が簡単に外れることはない。
ちなみに、本実施例の装身具用留め具１１の引っ張り強度を測定したところ、１０ｋｇを超えたあたりで、装身具の宝石を連ねる部品が最初に破損した。
【００１９】
なお、図２に示すように、前記一端を閉鎖したガイドレール３３の開放端の位置に凸半球３５を、前記スライドレール３２の対応位置には凹半球３４を設けておけば、装着後の特定方向からの加圧による単純な脱落を防止することができる。
【００２０】
前記装身具用留め具１１を取り外す場合は、前記リベット状の膨頭部２３を幅の狭い前記係合溝２４から前記挿通孔２５の位置まで移動するだけでよく、前記一対の連結部材１２，１３を前記一対の磁石１４ａ，１４ｂと磁石１５ａ，１５ｂの磁力に抗して両側から引っ張るだけで、前記一対の連結部材１２，１３間を分離させて容易に取り外すことができる。
以上のことから、この発明の装身具用留め具１１は容易に装身具の取り付けが可能で、耐久性も十分であることが確認された。
【００２１】
以上のようにこの発明によれば、首や腕、足等に装着する装身具の留め具において、磁石の吸着力と、スライドして係合する抜け落ち防止構造２１による固定強度があるので、容易に装着できるにもかかわらず、安心感のある装身具用留め具を提供することができるようになった。
さらにこの発明においては前記抜け落ち防止構造２１が、前記膨頭部２３を備えた係合体２２と、前記膨頭部２３をはめ込み可能な挿通孔２５を有する係合溝２４とで構成されている。すなわち、磁石が吸着状態となる前に物理的な抜け落ち防止構造２１が１か所のみで構成されており、装着および固定が非常に容易である。また、指先による装着部分の誘導および設置が容易であり、位置合わせ時の位置ずれに対する許容量が大きいというメリットがある。
また、一対の連結部材１２，１３を固定した場合に、それぞれの部品同士は対称になり得る構造に構成できるので、視覚的にバランスを取ることができ、したがってデザイン、装飾が一対の連結部材１２，１３に付加しやすい上、連結部材１２，１３の機能部分に占める容積量が小さいので、装飾を自由に施すことができる。
【産業上の利用可能性】
【００２２】
また、この発明の装身具用留め具は、従来の留め具のように首などの裏側で連結して固定する用途だけでなく、この発明の装身具用留め具にさまざまな装飾を施すことによって、身体の前で固定するデザインを楽しめる装身具用留め具としても使用できる。
【００２３】
この発明の装身具用留め具は、上記において説明した用途に限定されるものではなく、一対の連結部材を備えた種々の装身具用留め具として利用することができることはいうまでもない。
【符号の説明】
【００２４】
１１  装身具用留め具
１２  連結部材
１３  連結部材
１４ａ，１４ｂ  磁石
１５ａ，１５ｂ  磁石
１６  丸環
２１  抜け落ち防止構造
２２  係合体
２３  膨頭部
２４  係合溝
２５  挿通孔
３１  第２の抜け落ち防止構造
３２  スライドレール
３３  ガイドレール
３４  凹半球
３５  凸半球
【図１】
2018042994.tif 000003
【図２】
2018042994.tif 000004
【図３】
2018042994.tif 000005
【図４】
2018042994.tif 000006
【図５】
2018042994.tif 000007
【図６】
2018042994.tif 000008